(57)【要約】【課題】内径の異なるロール体に容易に対応して保持できるロール体保持装置を提供する。【解決手段】ロール体保持装置は、支持軸と、支持軸の軸方向に移動可能に支持される、保持部材及びカム部材とを備え、保持部材は、第１内径保持部に第１ロール体の端部に当接するくさび部と複数の第１加圧部材とを有し、第２内径保持部に複数の第２加圧部材とを有する。  また、カム部材は、第１加圧部材又は第２加圧部材の下面に当接して、半径方向に移動させる複数のカム部と、第２ロール体の端部に当接する突き当て部を有する。  第１内径を有する第１ロール体、又は第１内径よりも大きい第２内径を有する第２ロール体をはめ込む際に、ロール体がくさび部又は突き当て部に当接することで、保持部材とカム部材が相対移動し、カム部が第１加圧部材又は第２加圧部材の下面に移動することで、第１加圧部材、又は第２加圧部材がロール体の中空軸の内周面を加圧・保持する。【選択図】図５
2018150132.tif 000002
【特許請求の範囲】
【請求項１】
第１内径を有する第１ロール体、又は前記第１内径よりも大きい第２内径を有する第２ロール体の中空軸部にはめ込んで、前記ロール体を保持するロール体保持装置であって、
支持軸と、
前記支持軸の軸方向に移動可能に支持される保持部材と、
前記支持軸の軸方向に移動可能に支持され、前記第２ロール体の端部に当接する突き当て部を有するカム部材とを備え、
前記保持部材は、前記第１ロール体を保持する第１内径保持部と、前記第２ロール体を保持する第２内径保持部とを有し、
前記第１内径保持部は、前記第１ロール体の端部に当接するくさび部と、前記支持軸を中心に半径方向に移動可能な複数の第１加圧部材とを有し、
前記第２内径保持部は、前記支持軸を中心に前記半径方向に移動可能な複数の第２加圧部材を有し、
前記カム部材は、前記複数の第１加圧部材、又は前記複数の第２加圧部材の下面に当接して、前記半径方向に移動させる複数のカム部を有し、
前記第１ロール体、又は前記第２ロール体をはめ込む際に、前記ロール体が前記くさび部又は前記突き当て部に当接することで、前記保持部材と前記カム部材が相対移動し、
前記複数のカム部が前記複数の第１加圧部材、又は前記複数の第２加圧部材の下面に移動することで、前記複数の第１加圧部材、又は前記複数の第２加圧部材がそれぞれ前記第１ロール体、又は前記第２ロール体の中空軸の内周面を加圧・保持することを特徴とするロール体保持装置。
【請求項２】
保持された前記第１ロール体の端部位置と保持された前記第２ロール体の端部位置とが、同一平面上にあること特徴とする請求項１に記載のロール体保持装置。
【請求項３】
前記保持部材は、前記第１内径保持部と前記第２内径保持部とを同軸上で一体に有することを特徴とする請求項１又は２に記載のロール体保持装置。
【請求項４】
前記複数の第１加圧部材及び前記複数の第２加圧部材は、前記ロール体の中空軸の内周面と当接する面に加圧弾性部材を有することを特徴とする請求項１乃至３のいずれか一項に記載のロール体保持装置。
【請求項５】
前記第１内径保持部は、
前記くさび部の下側に当接して配置され、前記支持軸に対する移動を規制するロック部と、
前記規制が解除されるように、前記ロック部を上方に付勢する第１弾性部材と、
前記第１ロール体をはめ込む方向と逆向きに前記くさび部材を付勢する第２弾性部材と
有することを特徴とする請求項１乃至４のいずれか一項に記載のロール体保持装置。
【請求項６】
前記くさび部と前記ロック部が当接する面は傾斜状であり、
前記くさび部が前記第１ロール体の端部に当接して移動することにより、前記ロック部が上方に移動し、前記支持軸との前記規制を解除することを特徴とする請求項５に記載のロール体保持装置。
【請求項７】
前記カム部材は、前記支持軸及び前記保持部材と係止する係止部を有し、
前記保持部材は、前記カム部材と当接する突き当て部を有することを特徴とする請求項１乃至６のいずれか一項に記載のロール体保持装置。
【請求項８】
請求項１乃至７のいずれか一項に記載のロール体保持装置を備える画像形成装置。
【請求項９】
請求項１乃至７のいずれか一項に記載のロール体保持装置を備える液体吐出装置。
【発明の詳細な説明】
【技術分野】
【０００１】
本発明は、ロール体保持装置、画像形成装置、及び液体吐出装置に関する。
【背景技術】
【０００２】
印刷媒体をロール状にしたロール体（ロール状印刷媒体）を使用する画像形成装置は、異なる紙管内径（ロール体中空軸部の内径）に対応するため、ロール体保持装置（保持機構）を備える。
【０００３】
従来のロール体保持装置の一例として、特許文献１は、一端側が支持部材に支持され、他端側がロール状媒体の中空軸部の内周面に当接する拡開当接部材を複数備え、その拡開当接部材がロール状媒体の中空軸部の内径に応じてロール径方向に拡開するロール状媒体支持機構を開示している。拡開当接部材がロール径方向に拡開することで、異なるロール状媒体の内径に対応することができる。
【０００４】
また、特許文献２は、ロール状媒体の芯管の径が大きい場合には、複数の支持部材が保持部材の軸芯部の外周面と芯管の内周面とに当接し、ロール状媒体の芯管の径が小さい場合には、それら支持部材を移動させて芯管の端部が支持部材に当接して支持部材の退避位置を規制するロール媒体保持機構を開示している。これはロック機構を設けなくても、支持部材の移動を防止することができる。
【発明の概要】
【発明が解決しようとする課題】
【０００５】
特許文献１に開示の構成では、拡開当接部材がロール状媒体の軸方向を中心に拡開する。そのため、ロール状媒体の径によっては拡開した状態の当接部材の保持力が小さく、ロール状媒体の周方向回転を保持できないという問題がある。
【０００６】
また、特許文献２に開示の構成では、複数の支持部材を同時に移動させることができないため、一部の支持部材が移動していない状態でロール状媒体を保持部材に取り付けるおそれがある。この場合、ロール状媒体が確実に保持されない状態で、装置に取り付けられてしまう。
【０００７】
そこで、本発明は、内径の異なるロール体に容易に対応して保持できるロール体保持装置の提供を目的とする。
【課題を解決するための手段】
【０００８】
上記課題は、第１内径を有する第１ロール体、又は前記第１内径よりも大きい第２内径を有する第２ロール体の中空軸部にはめ込んで、前記ロール体を保持するロール体保持装置であって、支持軸と、前記支持軸の軸方向に移動可能に支持される保持部材と、前記支持軸の軸方向に移動可能に支持され、前記第２ロール体の端部に当接する突き当て部を有するカム部材とを備え、前記保持部材は、前記第１ロール体を保持する第１内径保持部と、前記第２ロール体を保持する第２内径保持部とを有し、前記第１内径保持部は、前記第１ロール体の端部に当接するくさび部と、前記支持軸を中心に半径方向に移動可能な複数の第１加圧部材とを有し、前記第２内径保持部は、前記支持軸を中心に前記半径方向に移動可能な複数の第２加圧部材を有し、前記カム部材は、前記複数の第１加圧部材、又は前記複数の第２加圧部材の下面に当接して、前記半径方向に移動させる複数のカム部を有し、前記第１ロール体、又は前記第２ロール体をはめ込む際に、前記ロール体が前記くさび部又は前記突き当て部に当接することで、前記保持部材と前記カム部材が相対移動し、前記複数のカム部が前記複数の第１加圧部材、又は前記複数の第２加圧部材の下面に移動することで、前記複数の第１加圧部材、又は前記複数の第２加圧部材がそれぞれ前記第１ロール体、又は前記第２ロール体の中空軸の内周面を加圧・保持することを特徴とするロール体保持装置によって解決される。
【発明の効果】
【０００９】
本発明のロール体保持装置は、第１ロール体を第１内径保持部にある第１加圧部材によって保持し、第２ロール体を第２内径保持部にある第２加圧部材によって保持する。これら第１加圧部材及び第２加圧部材は、第１ロール体、又は第２ロール体をはめ込む際に移動され、その内周面を加圧する。したがって、内径の異なるロール体に容易に対応して保持することができる。
【図面の簡単な説明】
【００１０】
【図１】本発明の一実施形態に係る画像形成装置を斜め上方からみた外観図である。
【図２】本発明の一実施形態に係る画像形成装置の側面を示す模式図である。
【図３】画像形成部の要部を示す平面図である。
【図４】本発明の一実施形態に係る給紙装置を斜め上方からみた外観図である。
【図５】本発明の一実施形態に係るロール体保持装置を斜め上方からみた外観図である。
【図６】本発明の一実施形態に係るロール体保持装置の３インチ加圧部材周辺の正面断面図である。
【図７】本発明の一実施形態に係るロール体保持装置のくさび部材及びロック部材周辺の側面断面図である。
【図８】本発明の一実施形態に係るロール体保持装置のくさび部材及びロック部材周辺の正面断面図である。
【図９】本発明の一実施形態に係る、ロール体を保持していないロール体保持装置の側面断面図である。
【図１０】本発明の一実施形態に係る、２インチロール体を保持するロール体保持装置の側面断面図である。
【図１１】本発明の一実施形態に係る、３インチロール体を保持するロール体保持装置の側面断面図である。
【発明を実施するための形態】
【００１１】
はじめに、本発明に係るロール体保持装置を備える画像形成装置の一例について、図１〜図３を参照しながら説明する。図１は本発明の一実施形態に係る画像形成装置を斜め上方からみた外観図であり、図２は同装置の側面を示す模式図であり、図３は同装置の画像形成部の要部を示す平面図である。
【００１２】
図１に示すように、この画像形成装置はシリアル型画像形成装置であり、装置本体１０１と、装置本体１０１の下側に配置した給紙装置１０２とを備える。給紙装置１０２は装置本体１０１と別体で装置本体１０１の下側に配置されてもよいし、図２に示すように、装置本体１０１と一体に構成してもよい。
【００１３】
図２に示すように、装置本体１０１の内部には、ロール状印刷媒体であるロール紙１２０を給紙する給紙装置１０２と、ロール紙１２０に画像を形成する画像形成部１０３とが配置されている。
【００１４】
画像形成部１０３は、両側板（不図示）にガイド部材であるガイドロッド１及びガイドステー２が掛け渡され、これらのガイドロッド１及びガイドステー２にキャリッジ５が矢印Ａ方向（主走査方向、キャリッジ移動方向）に移動可能に支持される。
【００１５】
図３に示すように、主走査方向の一方側にはキャリッジ５を往復移動させる駆動源である主走査モータ８が配置されている。この主走査モータ８によって回転駆動される駆動プーリ９と主走査方向の他方側に配置された従動プーリ１０との間にタイミングベルト１１が掛け回されている。このタイミングベルト１１にキャリッジ５のベルト保持部（不図示）が固定され、主走査モータ８を駆動することによってキャリッジ５を主走査方向に往復移動させる。
【００１６】
キャリッジ５には、液体吐出ヘッド及びヘッドに液体を供給するヘッドタンクを一体にした複数（ここでは、４個）の記録ヘッド６ａ〜６ｄ（区別しないときは「記録ヘッド６」という）が搭載されている。
【００１７】
ここで、記録ヘッド６ａと記録ヘッド６ｂ〜６ｄは主走査方向と直交する方向である副走査方向（矢印Ｂ方向）に１ヘッド分（１ノズル列分）位置をずらして配置されている。また、記録ヘッド６は、液滴を吐出する複数のノズルからなるノズル列を主走査方向と直交する副走査方向に配列し、滴吐出方向を下方に向けて搭載している。
【００１８】
また、記録ヘッド６ａ〜６ｄはいずれも２列のノズル列を有している。そして、記録ヘッド６ａ、６ｂは、いずれのノズル列からも同色である黒色の液滴を吐出する。記録ヘッド６ｃは、一方のノズル列からシアン（Ｃ）の液滴を吐出し、他方のノズル列は未使用ノズル列としている。また、記録ヘッド６ｄは、一方のノズル列からイエロー（Ｙ）の液滴を、他方のノズル列からマゼンタ（Ｍ）の液滴を吐出する。
【００１９】
これにより、モノクロ画像については記録ヘッド６ａ、６ｂを使用して１スキャン（主走査）で２ヘッド分の幅で画像を形成でき、カラー画像については例えば記録ヘッド６ｂ〜６ｄを使用して形成することができる。なお、ヘッド構成はこれに限るものではなく、複数の記録ヘッドを主走査方向に全て並べて配置するものでもよい。
【００２０】
また、キャリッジ５の移動方向に沿ってエンコーダシート１２が配置され、キャリッジ５にはエンコーダシート１２を読取るエンコーダセンサ１３が設けられている。これらのエンコーダシート１２及びエンコーダセンサ１３によってリニアエンコーダ１４を構成し、リニアエンコーダ１４の出力からキャリッジ５の位置及び速度を検出する。
【００２１】
キャリッジ５の主走査領域のうち、記録領域では、給紙装置１０２からロール紙１２０が給送され、搬送手段２１によってキャリッジ５の主走査方向と直交する方向（副走査方向、用紙搬送方向：矢印Ｂ方向）に間欠的に搬送される。
【００２２】
図１に示すように、記録ヘッド６のヘッドタンクには、装置本体１０１に交換可能に装着されるメインタンクであるインクカートリッジ６０から供給チューブを介して各色のインクが供給される。また、キャリッジ５の主走査方向の一方側には、搬送ガイド部材２５の側方に記録ヘッド６の維持回復を行う維持回復機構８０が配置されている（図１参照）。
【００２３】
図２に示すように、搬送手段２１は、給紙装置１０２から給紙されるロール状媒体であるロール紙１２０を搬送する搬送ローラ２３及び搬送ローラ２３に対向配置した加圧ローラ２４を有する。そして、搬送ローラ２３の下流側に、複数の吸引穴が形成された搬送ガイド部材２５と、搬送ガイド部材２５の吸引穴から吸引を行う吸引手段としての吸引ファン２６とを有する。
【００２４】
この搬送手段２１の下流側には、記録ヘッド６で画像が形成されたロール紙１２０を所定の長さで切断する切断手段としてのカッタ２７が配置されている。
【００２５】
給紙装置１０２は、ロール体１１２を有している。ロール体１１２は、芯部材である紙管などの中空軸部１１４に長尺のロール状媒体であるシート１２０（これを上記したように「ロール紙」という）をロール状に巻き付けたものである。
【００２６】
ここで、本実施形態では、ロール体１１２として、ロール紙１２０の終端を糊付けなどの接着で中空軸部１１４に固定したもの、又はロール紙１２０の終端を中空軸部１１４に接着していない非固定のもののいずれも装着可能である。
【００２７】
図４は、本発明の一実施形態に係る給紙装置を斜め上方からみた外観図である。給紙装置１０２のスタンド本体１５には、第１、第２ガイド１６、１７が互いに平行で、ロール体長手方向（矢印Ａ方向）に延在して設けられている。その第１、第２ガイド１６、１７には、第１、第２保持ユニット１８、１９が互いに対向し、かつ、それぞれ矢印Ａ方向に移動可能に支持されている。第１、第２保持ユニット１８、１９は、それぞれロール体保持装置３０を備える。
【００２８】
第１、第２保持ユニット１８、１９は、第１ガイド１６を主基準、第２ガイド１７を従基準とし、それぞれのロール体保持装置３０が第１ガイド１６の真上に配置されている。第１保持ユニット１８は駆動源を有し、ロール体保持装置３０を回転運動させる。一方、第２保持ユニット１９は駆動源を有していない。第１、第２保持ユニット１８、１９は、それぞれのロール体保持装置３０をロール体１１２の中空軸にはめ込むことで、ロール体１１２を保持する。
【００２９】
先に示した図２において、装置本体１０１側には、給紙装置１０２のロール体１１２から引き出されるロール紙１２０をガイドするガイド部材１３０と、ロール紙１２０を湾曲させて上方に給送する搬送ローラ対１３１とが配置されている。
【００３０】
搬送ローラ対１３１を回転駆動することで、ロール体１１２から繰り出されるロール紙１２０は、ロール体１１２と搬送ローラ対１３１の間で張られた状態で搬送される。そして、ロール紙１２０は、搬送ローラ対１３１を経て、搬送手段２１の搬送ローラ２３と加圧ローラ２４との間に送り込まれる。
【００３１】
このように構成された画像形成装置において、画像形成時には、キャリッジ５を主走査方向に移動し、給紙装置１０２から給送されるロール紙１２０を、搬送手段２１によって間欠的に送る。そして、記録ヘッド６を画像情報（印字情報）に応じて駆動して液滴を吐出させることによって、ロール紙１２０上に所要の画像が形成される。この画像が形成されたロール紙１２０は、カッタ２７で所定の長さにカットされ、装置本体１０１の前面側に配置される排紙ガイド部材（不図示）に案内されてバケット内に排出されて収納される。
【００３２】
ここではロール体保持装置を備える画像形成装置について説明したが、これに限定されない。ロール体保持装置を備える液体吐出装置であってもよい。
【００３３】
続いて、本発明の特徴部分であるロール体保持装置の構成について詳細に説明する。以下の説明において、「内径」とは、ロール体の中空軸部の内径を意味する。また、中空軸部は紙管などで構成されるが、管部材又は芯部材を設けない構成であっても、中空部である限り中空軸部に含まれる。
【００３４】
図５は、本発明の一実施形態に係るロール体保持装置を斜め上方からみた外観図である。図５に示すように、ロール体保持装置３０は、第１保持ユニット１８に保持され、駆動源と繋がる支持軸３１と、それぞれ支持軸３１に対し移動可能に支持される、保持部材３４と、カム部材３５とを備える。保持部材３４は、２インチロール体の中空軸部にはめ込まれる２インチ保持部３６と、３インチロール体の中空軸部にはめ込まれる３インチ保持部３７とが同軸上で一体となるように構成されている。
【００３５】
なお、２インチロール体は第１内径を有する第１ロール体の一例であり、３インチロール体は第２内径を有する第２ロール体の一例である（第１内径＜第２内径）。また、２インチ保持部３６は第１内径に対応する第１内径保持部の一例であり、３インチ保持部３７は第２内径に対応する第２内径保持部の一例である。
【００３６】
２インチ保持部３６には、円周周りに設けられた複数の開口部３８内に、２インチ加圧部材４０とくさび部材４１が設けられている。また、３インチ保持部３７には、円周周りに設けられた複数の開口部３９内に、３インチ加圧部材４２が設けられている。２インチ、３インチ加圧部材４０、４２は、それぞれ２インチ、３インチロール体の中空軸の内周面に当接し、加圧・保持するために用いられる。また、くさび部材４１は、保持部材３４（２インチ保持部３６）の支持軸３１に対する移動を規制／解除するために用いられる。
【００３７】
なお、２インチ加圧部材４０は第１内径に対応する第１加圧部材の一例であり、３インチ加圧部材４２は第２内径に対応する第２加圧部材の一例である。
【００３８】
カム部材３５は、３インチロール体の端部が３インチ突き当て部３５ａに当接することで、支持軸３１の軸方向に移動する。またカム部材３５は、２インチ、３インチ加圧部材４０、４２を押し上げ、ロール体の中空軸の内周面に当接させる複数のカム部を有する。
【００３９】
図６は、本発明の一実施形態に係るロール体保持装置の３インチ加圧部材周辺の正面断面図である。図６に示すように、３インチ加圧部材４２は、３インチ保持部３７のガイド部４５に上下方向（矢印Ｃ方向）に移動可能に保持されている。３インチ保持部３７の開口部３９の縁には弾性カバー部材４６が設けられている。この弾性カバー部材４６は、３インチ加圧部材４２が上方に一定以上移動すると、変形し（点線で示す）、３インチ加圧部材４２を下方に付勢する。一方、３インチ加圧部材４２は、開口部３９の受け部３９ａに当接する突き当て部４２ａを有するので、矢印Ｃの下方向の移動が規制される。
【００４０】
このように構成されているので、３インチ加圧部材４２は、支持軸３１を中心に半径方向に移動可能である。また、３インチ加圧部材４２の上面には、加圧弾性部材４７が設けられている。保持するロール体の内径がばらついても、加圧弾性部材４７の弾性変形によりそのばらつきを吸収することができる。
【００４１】
図６を用いて、３インチ加圧部材４２とその周辺部材の構成について説明した。２インチ加圧部材４０とその周辺部材も同様な構成を有するため、その説明を省略する。
【００４２】
図７は本発明の一実施形態に係るロール体保持装置のくさび部材及びロック部材周辺の側面断面図であり、図８は本発明の一実施形態に係るロール体保持装置のくさび部材及びロック部材周辺の正面断面図である。図７、８に示すように、２インチ保持部３６に設けられたガイド支持穴５１、５２によって、ガイド部材５０が、その軸方向を支持軸３１と平行に支持されている。そのガイド部材５０に、くさび部材４１が支持軸３１の軸方向に移動可能に支持されている。また、ガイド部材５０に取り付けられた第１弾性部材であるバネ５３によって、くさび部材４１は矢印Ｄ方向に付勢される。
【００４３】
くさび部材４１の上側には、２インチロール体を挿入した際にそのロール体と当接する突き当て部４１ａが形成されている。また、くさび部材４１の下側にはテーパ部４１ｂが形成されており、そのテーパ部４１ｂは、くさび部材４１の下側に配置されたロック部材５５のテーパ部５５ａと接している。すなわち、くさび部材４１とロック部材５５の当接する面は、傾斜状となっている。
【００４４】
ロック部材５５は、２インチ保持部３６（保持部材３４）の支持軸３１に対する移動を規制するための部材である。ロック部材５５は係止部５５ｂを有し、その係止部５５ｂが支持軸３１に形成された溝端部３１ａと当接することで、２インチ保持部３６（保持部材３４）の軸方向の移動が規制される。
【００４５】
またロック部材５５は、２インチ保持部３６のボス部３６ａに設けられた第２弾性部材であるバネ５６により、上方（矢印Ｅ方向）に付勢される。そのため、くさび部材４１が右方向（矢印Ｄの反対方向）に移動すると、ロック部材５５は上方（矢印Ｅ方向）に移動し、ロックが解除される（係止部５５ｂと溝端部３１ａが離間する）。
【００４６】
このように構成されているので、２インチロール体の端部がくさび部材４１の突き当て部４１ａに当接すると、くさび部材４１が右方向（矢印Ｄの反対方向）に移動してロックが解除され、２インチ保持部３６（保持部材３４）が右方向に移動される。
【００４７】
ロール体を保持していない状態において、バネ５３のＤ方向への弾性力、バネ５６のＥ方向への弾性力、テーパ部４１ｂ、５５ａの斜面角度、及びテーパ部４１ｂ、５５ａの摩擦係数は、図７に示すように、ロック部材５５の係止部５５ｂが溝内にあり、２インチ保持部３６（保持部材３４）の軸方向への移動が規制された状態となる関係とする。
【００４８】
図９は、本発明の一実施形態に係る、ロール体を保持していないロール体保持装置の側面断面図である。図９に示すように、カム部材３５も保持部材３４と同様に、支持軸３１の軸方向に移動可能に支持されている。カム部材３５は、図中右方向（D方向の逆向き）に移動する際に、保持部材３４に当接して停止するための係止部４３と、支持軸３１に設けられた止め輪６１に当接して停止するための係止部３５ｂとを有する。カム部材３５の３インチロール体をはめ込む際に当接する３インチ突き当て部３５ａについては、図５にて説明した。
【００４９】
さらにカム部材３５は、その円周上に複数のカム部３５ｃを有する。それらカム部３５ｃは、カム部材３５又は保持部材３４が移動することにより、２インチ加圧部材４０又は３インチ加圧部材４２の下面に当接し、それら加圧部材を上方に押し上げる。
【００５０】
カム部材３５は、カム部材３５と保持ユニットの間に設けられたバネ６２により、矢印Ｄ方向（保持ユニットから離れる方向）に付勢されている。さらに、保持部材３４（２インチ保持部３６）とカム部材３５の間に設けられたバネ６３により、矢印Ｄの反対方向（保持ユニットに向かう方向）にも付勢されている。
【００５１】
保持部材３４は、カム部材３５と当接して共に移動するための突き当て部３４ａを有する。
【００５２】
続いて、ロール体保持装置がロール体を保持する際の動作について説明する。
【００５３】
図１０は、本発明の一実施形態に係る、２インチロール体を保持するロール体保持装置の側面断面図である。図１０において、図９と同一物には同一符号を付してその詳細な説明は省略する。
【００５４】
ロール体保持装置に２インチロール体Ｒ１をはめ込む際、くさび部材４１の突き当て部４１ａに２インチロール体Ｒ１が当接し、くさび部材４１が移動されることでロック部材５５と支持軸３１（溝端部３１ａ）とのロックが外れる。ロックが外れた保持部材３４は、２インチロール体Ｒ１をはめ込む外力により、右方向（矢印Ｄの反対方向）に移動し、その突き当て部３４ａがカム部材３５と当接する。そして、保持部材３４とカム部材３５は共に移動し、カム部材３５の係止部３５ｂが支持軸３１に設けられた止め輪６１と当接することで停止する。
【００５５】
この間、カム部材３５のカム部３５ｃが２インチ加圧部材４０の下面に当接し、２インチ加圧部材４０を２インチロール体Ｒ１との加圧位置にまで押し上げる。したがって、２インチロール体Ｒ１がロール体保持装置（すなわち、２インチ保持部３６にある２インチ加圧部材４０）により保持される。
【００５６】
図１１は、本発明の一実施形態に係る、３インチロール体を保持するロール体保持装置の側面断面図である。図１１において、図９と同一物には同一符号を付してその詳細な説明は省略する。
【００５７】
図１１に示すように、ロール体保持装置に３インチロール体Ｒ２をはめ込む際、カム部材３５の３インチ突き当て部３５ａに３インチロール体Ｒ２が当接し、カム部材３５が右方向（矢印Ｄの反対方向）に移動する。一方、くさび部材４１は移動されないので、保持部材３４は移動が規制された状態である。そのため、カム部材３５は係止部４３が保持部材３４に当接することで停止する。
【００５８】
この間、カム部材３５のカム部３５ｃが３インチ加圧部材４２の下面に当接し、３インチ加圧部材４２を３インチロール体Ｒ２との加圧位置にまで押し上げる。したがって、３インチロール体Ｒ２がロール体保持装置（すなわち、３インチ保持部３７にある３インチ加圧部材４２）により保持される。
【００５９】
以上説明したように、本実施形態のロール体保持装置は、ロール体をはめ込む際に、保持部材３４とカム部材３５が相対移動することで、カム部材３５のカム部３５ｃが２インチ加圧部材４０又は３インチ加圧部材４２をロール体の内周面に向けて加圧する。すなわち、ロール体をはめ込む動作に連動して加圧部材がロール体を加圧するので、内径の異なるロール体に容易に対応して保持できるという効果を奏する。
【００６０】
また、２インチ又は３インチロール体を嵌め込む外力でカム部材３５の位置を変えることにより、２インチロール体の端部位置と３インチロール体の端部位置とが共通（同一平面上）となる。これは、２インチロール体Ｒ１を保持した際に、その端部とカム部材３５の３インチ突き当て部３５ａとが接触して損傷を与えることがない（図１０参照）。
【００６１】
続いて、本願において用いられる用語について、明確な定義を示す。
【００６２】
「液体吐出装置」は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
【００６３】
この「液体吐出装置」は、液体が付着可能なものの給送、搬送、排紙に係わる手段、その他、前処理装置、後処理装置なども含むことができる。
【００６４】
「液体吐出装置」としては、例えば、インクを吐出させて用紙に画像を形成する装置である画像形成装置や、立体造形物（三次元造形物）を造形するために、粉体を層状に形成した粉体層に造形液を吐出させる立体造形装置（三次元造形装置）がある。
【００６５】
また、「液体吐出装置」は、吐出された液体によって文字、図形等の有意な画像が可視化されるものに限定されるものではない。例えば、それ自体意味を持たないパターン等を形成するもの、三次元像を造形するものも含まれる。
【００６６】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００６７】
上記「液体が付着可能なもの」の材質は、紙、糸、繊維、布帛、皮革、金属、プラスチック、ガラス、木材、セラミックス、壁紙や床材などの建材、衣料用のテキスタイルなど液体が一時的でも付着可能であればよい。
【００６８】
また、「液体」は、インク、処理液、ＤＮＡ試料、レジスト、パターン材料、結着剤、造形液、又は、アミノ酸、たんぱく質、カルシウムを含む溶液及び分散液なども含まれる。
【００６９】
また、「液体吐出装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００７０】
また、「液体吐出装置」としては他にも、用紙の表面を改質するなどの目的で用紙の表面に処理液を塗布するために処理液を用紙に吐出する処理液塗布装置がある。また、原材料を溶液中に分散した組成液を、ノズルを介して噴射させて原材料の微粒子を造粒する噴射造粒装置などもある。
【００７１】
「液体吐出ユニット」とは、液体吐出ヘッドに機能部品、機構が一体化したものであり、液体の吐出に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００７２】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていてもよい。
【００７３】
例えば、液体吐出ユニットとして、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【００７４】
また、液体吐出ユニットとして、液体吐出ヘッドとキャリッジが一体化されているものがある。
【００７５】
また、液体吐出ユニットとして、液体吐出ヘッドを走査移動機構の一部を構成するガイド部材に移動可能に保持させて、液体吐出ヘッドと走査移動機構が一体化されているものがある。また、液体吐出ユニットとして、液体吐出ヘッドとキャリッジと主走査移動機構が一体化されているものがある。
【００７６】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００７７】
また、液体吐出ユニットとして、ヘッドタンク若しくは流路部品が取付けられた液体吐出ヘッドにチューブが接続されて、液体吐出ヘッドと供給機構が一体化されているものがある。
【００７８】
主走査移動機構は、ガイド部材単体も含むものとする。また、供給機構は、チューブ単体、装填部単体も含むものする。
【００７９】
また、「液体吐出ヘッド」は、使用する圧力発生手段が限定されるものではない。例えば、上記実施形態で説明したような圧電アクチュエータ（積層型圧電素子を使用するものでもよい。）以外にも、発熱抵抗体などの電気熱変換素子を用いるサーマルアクチュエータ、振動板と対向電極からなる静電アクチュエータなどを使用するものでもよい。
【００８０】
また、本願の用語における、画像形成、記録、印字、印写、印刷、造形等はいずれも同義語とする。
【００８１】
以上、実施形態を用いて本発明を詳細に説明した。この実施形態は一例であり、要旨を逸脱しない範囲内で種々変更して使用できる。
【符号の説明】
【００８２】
１  ガイドロッド
２  ガイドステー
５  キャリッジ
６  記録ヘッド
８  主走査モータ
９  駆動プーリ
１０  従動プーリ
１１  タイミングベルト
１２  エンコーダシート
１３  エンコーダセンサ
１４  リニアエンコーダ
１５  スタンド本体
１６  第１ガイド
１７  第２ガイド
１８  第１保持ユニット
１９  第２保持ユニット
２１  搬送手段
２３  搬送ローラ
２４  加圧ローラ
２５  搬送ガイド部材
２６  吸引ファン
２７  カッタ
３０  ロール体保持装置
３１  支持軸
３１ａ  溝端部
３４  保持部材
３４ａ  突き当て部
３５  カム部材
３５ａ  ３インチ突き当て部
３５ｂ  係止部
３５ｃ  カム部
３６  ２インチ保持部
３６ａ  ボス部
３７  ３インチ保持部
３８、３９  開口部
３９ａ  受け部
４０  ２インチ加圧部材
４１  くさび部材
４１ａ  突き当て部
４１ｂ  テーパ部
４２  ３インチ加圧部材
４２ａ  突き当て部
４３  係止部
４５  ガイド部
４６  弾性カバー部材
４７  加圧弾性部材
５０  ガイド部材
５１、５２  ガイド支持穴
５３、５６、６２、６３  バネ
５５  ロック部材
５５ａ  テーパ部
５５ｂ  係止部
６０  インクカートリッジ
６１  止め輪
８０  維持回復機構
１０１  装置本体
１０２  給紙装置
１０３  画像形成部
１１２  ロール体
１１４  中空軸部
１２０  ロール紙
１３０  ガイド部材
１３１  搬送ローラ対
Ｒ１  ２インチロール体
Ｒ２  ３インチロール体
【先行技術文献】
【特許文献】
【００８３】
【特許文献１】特開２００７−２９０８６５号公報
【特許文献２】特開２０１３−１００１５４号公報
【図１】
2018150132.tif 000003
【図２】
2018150132.tif 000004
【図３】
2018150132.tif 000005
【図４】
2018150132.tif 000006
【図５】
2018150132.tif 000007
【図６】
2018150132.tif 000008
【図７】
2018150132.tif 000009
【図８】
2018150132.tif 000010
【図９】
2018150132.tif 000011
【図１０】
2018150132.tif 000012
【図１１】
2018150132.tif 000013